(57)【特許請求の範囲】
【請求項１】
メモリーカードの側部を成形する切削砥石を備えた切削手段と、該メモリーカードを固定する固定治具と、該固定治具を載せて保持する保持面を有するテーブルとを少なくとも備えたメモリーカード成形装置であって、
該固定治具は、該テーブルの該保持面に載置して着脱自在に保持される被保持面と、該メモリーカードを挿入する開口が所定方向に延在し、上面から下面に貫通する挿入孔と、該挿入孔に挿入した該メモリーカードを該挿入孔の延在方向に押して該メモリーカードを固定する固定部と、該挿入孔の延在方向に対して平行な該挿入孔の一対の内面のうち、少なくとも一方側に配設される弾性部材と、を備え、
該メモリーカードの電極を備えた表面を、該弾性部材が配設された該挿入孔の内面に対面させて該挿入孔に該メモリーカードを挿入し、該挿入孔内において該弾性部材で該メモリーカードの該電極を保護し、且つ、該固定部で該メモリーカードを固定した状態で、該切削手段の切削送り方向を、該挿入孔の延在方向に対して直交する方向として該切削手段で該側部を成形し、
該弾性部材は、該挿入孔の一対の内面のうち、該切削送り方向の下流側に配設されるメモリーカード成形装置。
【請求項２】
該固定治具は、上面と下面とのどちらも被保持面となることを可能とし、
該切削手段は、
該テーブルの該保持面で該固定治具の該下面を被保持面として保持し、該挿入孔に挿入される該メモリーカードの一方の側部を成形する第１の切削砥石と、
該テーブルの該保持面で該固定治具の該上面を下向きにした状態で被保持面として保持し、該挿入孔に挿入される該メモリーカードの他方の側部を成形する第２の切削砥石と、を備え、
該挿入孔に挿入される該メモリーカードの中心と、該挿入孔に該メモリーカードを挿入する挿入方向における該固定治具の中心とを一致させる位置決め部を備える請求項１記載のメモリーカード成形装置。
【発明の詳細な説明】
【技術分野】
【０００１】
本発明は、電子機器に使用されるメモリーカードを製造する際に用いるメモリーカード成形装置に関する。
【背景技術】
【０００２】
各種電子機器のカードスロットに挿入して使用されるＳＤカード（登録商標）、ｍｉｎｉＳＤ（登録商標）等のメモリーカードにあっては、規格化された形状となっている。例えば、メモリーカードの側部に対し、表裏及び前後方向を特定するための凹凸が形成されたり、コーナー部が面取り形状に形成されたりする。このような形状をメモリーカードの側部に成形する装置として、特許文献１には、メモリーカードを固定治具に装着し、砥石によってメモリーカードの側部を成形する成形装置が開示されている。
【０００３】
成形されたメモリーカードにあっては、その特性についてテストを行ってから製品化される。このテストでは、一方の面にテスト電極が露出して形成されたテスト用のメモリーカードについて電圧等の測定が行われる。
【先行技術文献】
【特許文献】
【０００４】
【特許文献１】特許第４８６１７５１号公報
【発明の概要】
【発明が解決しようとする課題】
【０００５】
しかしながら、特許文献１の構成では、固定治具の挿入孔にメモリーカードを挿入した際、露出して形成された電極に傷が付く、という問題がある。この電極の傷によって、電圧測定が行えなくなったり、傷に起因して電極同士が導通して内部回路が破壊されたりし、正常なテストができなくなる、という問題もある。
【０００６】
本発明は、かかる点に鑑みてなされたものであり、固定治具の挿入孔にメモリーカードを挿入した際、電極に傷が付くことを防止することができるメモリーカード成形装置を提供することを目的とする。
【課題を解決するための手段】
【０００７】
本発明のメモリーカード成形装置は、メモリーカードの側部を成形する切削砥石を備えた切削手段と、メモリーカードを固定する固定治具と、固定治具を載せて保持する保持面を有するテーブルとを少なくとも備えたメモリーカード成形装置であって、固定治具は、テーブルの保持面に載置して着脱自在に保持される被保持面と、メモリーカードを挿入する開口が所定方向に延在し、上面から下面に貫通する挿入孔と、挿入孔に挿入したメモリーカードを挿入孔の延在方向に押してメモリーカードを固定する固定部と、挿入孔の延在方向に対して平行な挿入孔の一対の内面のうち、少なくとも一方側に配設される弾性部材と、を備え、メモリーカードの電極を備えた表面を、弾性部材が配設された挿入孔の内面に対面させて挿入孔にメモリーカードを挿入し、挿入孔内において弾性部材でメモリーカードの電極を保護し、且つ、固定部でメモリーカードを固定した状態で、切削手段の切削送り方向を、挿入孔の延在方向に対して直交する方向として切削手段で該側部を成形し、弾性部材は、挿入孔の一対の内面のうち、切削送り方向の下流側に配設されることを特徴とする。
【０００８】
この構成によれば、挿入孔にメモリーカードを挿入するときに、弾性部材によって電極を保護することができる。これにより、電極に傷が付くことを防止でき、メモリーカードの成形後における電極のテストを正常に行うことができる。また、メモリーカードの電極に対向する面だけに弾性部材を配設することができる。
【０００９】
また、本発明のメモリーカード成形装置において、固定治具は、上面と下面とのどちらも被保持面となることを可能とし、切削手段は、テーブルの保持面で固定治具の下面を被保持面として保持し、挿入孔に挿入されるメモリーカードの一方の側部を成形する第１の切削砥石と、テーブルの保持面で固定治具の上面を下向きにした状態で被保持面として保持し、挿入孔に挿入されるメモリーカードの他方の側部を成形する第２の切削砥石と、を備え、挿入孔に挿入されるメモリーカードの中心と、挿入孔にメモリーカードを挿入する挿入方向における固定治具の中心とを一致させる位置決め部を備えるとよい。この構成では、位置決め部によって上述した各中心を位置決めできるので、一方の側部を成形してから、固定治具を上下反転して他方の側部を成形することができる。
【発明の効果】
【００１１】
本発明によれば、挿入孔の内面に弾性部材を配設したので、固定治具の挿入孔にメモリーカードを挿入した際、電極に傷が付くことを防止することができる。
【図面の簡単な説明】
【００１２】
【図１】固定治具の一例を示す分解斜視図である。
【図２】固定治具に成形前のメモリーカードを挿入する状態を示す斜視図である。
【図３】メモリーカードを挿入した固定治具の一部を示す平面図である。
【図４】固定治具に成形前のメモリーカードを挿入した状態の断面模式図である。
【図５】固定治具にメモリーカードを挿入する前の状態の断面模式図である。
【図６】メモリーカード成形装置の一例を示す斜視図である。
【図７】メモリーカード成形装置のテーブル及び固定治具を示す斜視図である。
【図８】第１の切削手段を略示的に示す断面図である。
【図９】第２の切削手段を略示的に示す断面図である。
【図１０】第１の切削砥石及び第２の切削砥石を位置合わせした状態を示す説明図である。
【図１１】メモリーカードにおける側部の成形要領の説明図である。
【図１２】メモリーカードにおける側部の成形要領の説明図である。
【図１３】成形されたメモリーカードを示す正面図である。
【図１４】変形例に係る固定治具の一部を示す図３と同様の平面図である。
【図１５】他の変形例に係る固定治具の一部を示す図３と同様の平面図である。
【発明を実施するための形態】
【００１３】
以下、添付図面を参照して、本実施の形態に係るメモリーカード成形装置について説明する。図１は、実施の形態に係るメモリーカード成形装置に用いられる固定治具の概略斜視図である。
【００１４】
図１に示すように、固定治具１は、治具本体２と、ステンレス等の硬質材料によって形成され治具本体２に収容される第１の固定部５及び第２の固定部６と、を有している。固定治具１は、メモリーカードの側部の成形時にメモリーカードを保持する。
【００１５】
治具本体２は、上面視で長方形をなす概略板状に形成される。本実施の形態では、治具本体２について、長手方向をＸ方向、これに直交する短手方向をＹ方向、厚み方向をＺ方向とし、図示のように＋及び−の向きを設定する。なお、治具本体２の＋Ｘ方向は、後述する成形装置での切削送り方向と一致される。
【００１６】
治具本体２の＋Ｙ方向及び−Ｙ方向両側は、Ｚ方向の幅（厚み）が後述する固定治具１全体のＺ方向寸法として形成されている。治具本体２の＋Ｙ方向側及び−Ｙ方向側における下面が後述するテーブルに載せられて保持され、かかる下面が被保持面１０ａとされる。また、被保持面１０ａと反対側の上面においても、治具本体２を上下反転することで、テーブルに載せられて保持されるので、かかる上面も被保持面１０ｂとされる。各被保持面１０ａ、１０ｂには、テーブルに固定治具１を固定する際の位置合わせ用の位置決め穴１０ｃが複数形成されている（被保持面１０ａの位置決め穴は図示省略）。
【００１７】
治具本体２は、メモリーカードが挿入される複数の挿入孔１１を備えている。これら挿入孔１１は、Ｘ方向に並んでＹ方向に２列に整列して形成され、ここでは、＋Ｙ方向側の挿入孔１１の列を第１の挿入孔列１１ａ、−Ｙ方向側の挿入孔１１の列を第２の挿入孔列１１ｂとする。ここで、固定治具１は、第１の挿入孔列１１ａ及び第２の挿入孔列１１ｂの中間、つまり、Ｙ方向中間の対称軸１ａを基準とした断面で対称に形成されている。
【００１８】
治具本体２は、厚さ方向中間部においてＸ方向に延在する第１の固定部収容孔１５及び第２の固定部収容孔１６を更に備えている。第１の固定部収容孔１５は、第１の挿入孔列１１ａの＋Ｙ方向側に形成され、第１の固定部５を収容可能とされる。第２の固定部収容孔１６は、第２の挿入孔列１１ｂの−Ｙ方向側に形成され、第２の固定部６を収容可能とされる。
【００１９】
治具本体２のＹ方向両端側には、支持部材１８が固定ネジ１９を介してそれぞれ取り付けられる。治具本体２のＹ方向両端側には、バネ２０を収容する収容孔２１が複数形成されている（−Ｙ方向側の収容孔は図示省略）。各収容孔２１は、バネ２０を圧縮して収容した状態で、開口側が支持部材１８によって閉塞される。治具本体２のＹ方向両側には、解除ネジ２３が装着可能に設けられる。解除ネジ２３は、支持部材１８の穴１８ａを貫通して治具本体２に形成された挿通穴２４（−Ｙ方向側の挿通穴は図示省略）に挿入され、第１の固定部５及び第２の固定部６に形成された雌ネジ部５ａ、６ａに先端側が螺合する。
【００２０】
第１の固定部５及び第２の固定部６においては、対称軸１ａの方に向く側面に硬質ウレタン等の弾性体５ｂ、６ｂがそれぞれ固着されている。
【００２１】
図２は、固定治具に成形前のメモリーカードを挿入する状態を示す斜視図である。図２に示すように、挿入孔１１には、成形前のメモリーカード３０が挿入される。メモリーカード３０は、一方の側部となる第１の側部３０ａと、他方の側部となる第２の側部３０ｂを有し、表裏各面のうち一方の面に電極３０ｃが形成される。本実施の形態では、メモリーカード３０は、テスト用のメモリーカードとされ、一方の面から複数の電極３０ｃが露出し、且つ、若干突出した状態で形成されている。メモリーカード３０において、電極３０ｃが形成された面の反対面には、当該反対面の一端に沿ってリブ３０ｄが形成されている。リブ３０ｄは、第１の側部３０ａ及び第２の側部３０ｂの各一端を連結する方向に延在している。なお、メモリーカード３０は、第１の側部３０ａ及び第２の側部３０ｂの成形後、電極３０ｃのテスト用として利用される。
【００２２】
図３は、メモリーカードを挿入した固定治具の一部を示す平面図である。本実施の形態では、挿入孔１１は、メモリーカード３０を２つの向きに挿入できる開口が形成され、第１の挿入孔列１１ａと第２の挿入孔列１１ｂとでは、挿入されるメモリーカード３０の向きが異なっている。
【００２３】
これを詳述すると、第１の挿入孔列１１ａ及び第２の挿入孔列１１ｂの各挿入孔１１において、メモリーカード３０が挿入される開口は、Ｙ方向に延在する形状をそれぞれ備え、Ｘ方向の幅がメモリーカード３０の厚みより若干大きく形成されている。また、Ｙ方向の幅がメモリーカード３０の長さより若干広く形成されている。第１の挿入孔列１１ａの挿入孔１１は、＋Ｙ方向側にリブ３０ｄを受容する受容溝１１ｃを備えている。第２の挿入孔列１１ｂの挿入孔１１は、−Ｙ方向側にリブ３０ｄを受容する受容溝１１ｃを備えている。従って、第１の挿入孔列１１ａと第２の挿入孔列１１ｂとでは、挿入されるメモリーカード３０におけるリブ３０ｄのＹ方向の位置が異なるようになる。その一方、第１の挿入孔列１１ａと第２の挿入孔列１１ｂとでは、挿入されるメモリーカード３０のＸ方向の向きが同じとなり、＋Ｘ方向側に電極３０ｃ、−Ｘ方向側にリブ３０ｄが配置される。
【００２４】
ここで、各挿入孔１１の延在方向（Ｙ方向）に対して平行な一対の内面の一方側、すなわち、＋Ｘ方向側の内面には、弾性部材３２が配設されている。弾性部材３２は、丸軸状に形成されたゴム等の弾性変形可能な素材からなる。弾性部材３２は、本実施の形態では、各挿入孔１１に対し、複数本（本実施の形態では４本）ずつ配設されている。
【００２５】
弾性部材３２は、挿入孔１１の＋Ｘ方向側の内面に形成された溝状の弾性部材挿入部３３に受容されている。弾性部材挿入部３３は、Ｚ方向（紙面直交方向）に直線的に延在しており、これに受容される弾性部材３２も同方向に延在している。弾性部材３２は、弾性部材挿入部３３に受容された状態で、−Ｘ方向側の端部が挿入孔１１の＋Ｘ方向側の内面より突出している。この突出量は、メモリーカード３０における電極３０ｃの突出高さより高く設定されており、電極３０ｃが挿入孔１１の内面と非接触となって保護される。弾性部材３２は、丸軸状に形成されるので、挿入孔１１内のメモリーカード３０に線接触される。挿入孔１１において、各弾性部材３２のＸ方向の位置は、好ましくは、電極３０ｃと非接触となる間隔をあけて配設され、これによっても、電極３０ｃが保護されるようになる。
【００２６】
図４は、固定治具に成形前のメモリーカードを挿入した状態の断面模式図である。図４に示すように、本実施の形態では、第１の挿入孔列１１ａの挿入孔１１に挿入されるメモリーカード３０は、第２の側部３０ｂが治具本体２の上方に露出するように挿入される。一方、第２の挿入孔列１１ｂの挿入孔１１に挿入されるメモリーカード３０は、第１の側部３０ａが治具本体２の上方に露出するように挿入されている。また、挿入孔１１は、治具本体２の上面から下面に貫通している。従って、第１の挿入孔列１１ａに収容されたメモリーカード３０は、第１の側部３０ａが治具本体２の下面から突出して露出し、第２の挿入孔列１１ｂに収容されたメモリーカード３０は第２の側部３０ｂが治具本体２の下面から露出している。なお、挿入孔１１にメモリーカード３０を挿入する挿入方向は＋Ｚ方向及び−Ｚ方向とされる。
【００２７】
ここで、固定治具１全体のＺ方向寸法と、メモリーカード３０のＺ方向寸法とは、同一に設定されている。従って、治具本体２の下面から露出する側部３０ａ、３０ｂと、治具本体２の被保持面１０ｂとが同一面上に位置すると、挿入孔１１に挿入されるメモリーカード３０のＺ方向中心位置と、固定治具１のＺ方向中心位置とが一致される。これにより、治具本体２の被保持面１０ａを後述するテーブル５０の平坦な上面に載置し、治具本体２の下面側から露出する側部３０ａ、３０ｂもテーブル５０上に載せて接触させると、固定治具１に対しメモリーカード３０が挿入方向において位置決めされる。ここにおいて、テーブル５０上面と、固定治具１の厚み（Ｚ方向寸法）とによって位置決め部が構成される。なお、治具本体２を上下反転して被保持面１０ｂをテーブル５０上面に載置させても、同様に位置決めを行うことができる。
【００２８】
図５は、固定治具にメモリーカードを挿入する前の状態の断面模式図である。図５に示すように、第１の固定部収容孔１５は、第１の挿入孔列１１ａの挿入孔１１に連通し、第２の固定部収容孔１６は、第２の挿入孔列１１ｂの挿入孔１１に連通している。また、第１の固定部収容孔１５及び第２の固定部収容孔１６は、バネ２０を収容する収容孔２１に連通している。従って、第１の固定部５は、第１の固定部収容孔１５から収容孔２１と挿入孔１１との両方に進入するようＹ方向に変位される。また、第２の固定部６は、第２の固定部収容孔１６から収容孔２１と挿入孔１１との両方に進入するようＹ方向に変位される。第１の固定部５及び第２の固定部６における対称軸１ａ側の端部は、解除ネジ２３の装着前は、挿入孔１１に突出した状態（図５で点線で示す状態）とされる。
【００２９】
解除ネジ２３は、支持部材１８の外側から装着され、第１の固定部５及び第２の固定部６の雌ネジ部５ａ、６ａに螺合される。この状態で、解除ネジ２３が回転操作されると、バネ２０の付勢力に抗して、第１の固定部５及び第２の固定部６の互いの距離が拡張するよう移動され、挿入孔１１から第１の固定部５及び第２の固定部６が退避される。これにより、挿入孔１１内へのメモリーカード３０の挿入が許容される。
【００３０】
図５の状態から、挿入孔１１にメモリーカード３０を挿入し、解除ネジ２３と雌ネジ部５ａ、６ａとの螺合が解除されると、バネ２０の付勢力により挿入孔１１内のメモリーカード３０に向かって第１の固定部５及び第２の固定部６が移動される。そして、図４に示すように、第１の挿入孔列１１ａの挿入孔１１内におけるメモリーカード３０は、バネ２０の付勢力によって第１の固定部５を介して−Ｙ方向に押され、第１の固定部５と、これに対向する挿入孔１１の内面とで挟持される。また、第２の挿入孔列１１ｂの挿入孔１１内におけるメモリーカード３０は、バネ２０の付勢力によって第２の固定部６を介して＋Ｙ方向に押され、第２の固定部６と、これに対向する挿入孔１１の内面とで挟持される。
【００３１】
図４に示したように複数のメモリーカード３０が挿入された固定治具１は、例えば図６に示すメモリーカード成形装置４０におけるメモリーカードの成形に用いられる。図６は、メモリーカード成形装置の一例を示す斜視図である。このメモリーカード成形装置４０は、メモリーカードの側部を成形する切削手段４１と、固定治具１を載せて保持するテーブル４２とを備えている。テーブル４２は、Ｘ方向に往復移動可能であり、メモリーカードを成形するときに＋Ｘ方向を切削送り方向として移動する。また、テーブル４２は、不図示の回転機構等を介して回転可能に設けられている。
【００３２】
図７は、メモリーカード成形装置のテーブル及び固定治具を示す斜視図である。図７に示すように、テーブル４２は、固定治具１が載置される保持面４２０を上面に備えている。保持面４２０は、例えば多孔質の吸引部４２１を有しており、吸引部４２１はテーブル４２の下方に設けられた図示しない吸引源と連通している。また、保持面４２０の上面には、載置される固定治具１に形成された位置決め穴１０ｃに対応する位置決め突起４２２が形成されている。位置決め突起４２２に位置決め穴１０ｃを嵌合させた状態で、保持面４２０に固定治具１が載せられ、吸引部４２１において固定治具１の被保持面１０ａが吸引されて着脱自在に保持される。このとき、固定治具１の第１の挿入孔列１１ａ及び第２の挿入孔列１１ｂにおいて、メモリーカード３０が整列する＋Ｘ方向及び−Ｘ方向と、テーブル４２の移動方向となる＋Ｘ方向及び−Ｘ方向とが一致される。また、固定治具１に固定されたメモリーカード３０の電極３０ｃが＋Ｘ方向側に向けられる。
【００３３】
図６に戻り、切削手段４１は、−Ｘ方向側から＋Ｘ方向側に並ぶ第１の切削手段４３と、第２の切削手段４４とを備えている。第１の切削手段４３では、第１のハウジング４３０によって第１のスピンドル４３１が回転可能に支持されている。第２の切削手段４４では、第２のハウジング４４０によって第２のスピンドル４４１が回転可能に支持されている。
【００３４】
図８は、第１の切削手段を略示的に示す断面図である。図８に示すように、第１の切削手段４３は、第１のスピンドル４３１を貫通させる貫通孔を有する円筒状の第１のホイール４３２の外周に、電着等によって第１の切削砥石４３３が固着された構成となっている。第１のホイール４３２は、第１のスピンドル４３１に嵌合し、ナット４３４によって固定されている。第１の切削砥石４３３は、例えばダイヤモンド砥粒等の砥粒をニッケルめっき等で固定して構成されている。第１の切削砥石４３３は、メモリーカード３０の第１の側部３０ａ（図１１参照）の所望の形状に対応する側面形状を有している。従って、第１の切削手段４３によって切削を行うことで、メモリーカード３０の第１の側部３０ａを成形することができる。
【００３５】
図９は、第２の切削手段を略示的に示す断面図である。図９に示すように、第２の切削手段４４は、第２のスピンドル４４１を貫通させる貫通孔を有する円筒状の第２のホイール４４２の外周に、電着等によって第２の切削砥石４４３が固着された構成となっており、第２のホイール４４２が第２のスピンドル４４１に嵌合し、ナット４４４によって固定されて構成される。第２の切削砥石４４３は、例えばダイヤモンド砥粒等の砥粒をニッケルめっき等で固定して構成されている。第２の切削砥石４４３は、メモリーカード３０の第２の側部３０ｂ（図１１参照）の所望の形状に対応する側面形状を有している。
【００３６】
成形後のメモリーカード３１（図１３参照）は、本実施の形態では、第１の側部３０ａと第２の側部３０ｂの形状が異なる非対称形に成形されるため、第１の切削砥石４３３と第２の切削砥石４４３とは、その側面形状が異なる。
【００３７】
図６に戻り、テーブル４２の移動経路の上方には、アライメント手段４５が配設されている。アライメント手段４５は、撮像部４５０を備えており、固定治具１を撮像してその特定の領域を検出することにより、テーブル４２に保持された固定治具１の角度調整や、各切削手段４３、４４のＹ方向の位置決めを行い、固定治具１に固定されたメモリーカード３０と位置合わせされる。
【００３８】
続いて、メモリーカード３０を所望の形状に成形する方法について説明する。先ず、図５に示すように、上面が平坦な水平面となる位置合わせ用のテーブル５０上に固定治具１が載置される。そして、固定治具１に装着された解除ネジ２３が回転操作されると、挿入孔１１から第１の固定部５及び第２の固定部６が退避される。そして、図４に示すように、第１の挿入孔列１１ａを構成する各挿入孔１１には、第２の側部３０ｂが固定治具１の上面側から露出した状態でメモリーカード３０が挿入される。このとき、第１の側部３０ａは、固定治具１の下面側から露出され、テーブル５０の上面に載置される。一方、第２の挿入孔列１１ｂを構成する各挿入孔１１には、第１の側部３０ａが固定治具１の上面側から露出した状態でメモリーカード３０が挿入される。このとき、第２の側部３０ｂは、固定治具１の下面側から露出され、テーブル５０の上面に載置される。
【００３９】
このように載置することで、挿入孔１１に挿入されるメモリーカード３０のＺ方向中心位置と、固定治具１のＺ方向中心位置とが一致するよう位置決めされた状態となる。この状態から、解除ネジ２３が固定治具１から取り外されると、バネ２０の付勢力によって、挿入孔１１内でメモリーカード３０が第１の固定部５及び第２の固定部６に押されて固定される。
【００４０】
なお、図３に示すように、各挿入孔１１においてメモリーカード３０を挿入する際、メモリーカード３０の電極３０ｃを備えた表面を、弾性部材３２が配設された挿入孔１１の内面（＋Ｘ方向側の内面）に対面させる。これにより、挿入孔１１内では、メモリーカード３０の電極３０ｃを備えた表面が弾性部材３２とだけ接触し、挿入孔１１の＋Ｘ方向側の内面と隙間が空いた状態になる。従って、弾性部材３２によって、メモリーカード３０の電極３０ｃが弾性部材３２及び挿入孔１１の内面と非接触となり、露出された電極３０ｃが損傷しないように保護される。
【００４１】
固定治具１にメモリーカード３０が固定された状態で、不図示の搬送手段によって、固定治具１が搬送され、図６に示すように、固定治具１の被保持面１０ａ側がテーブル４２の保持面４２０に載せて保持される。その後、テーブル４２をＸ方向に移動させて、アライメント手段４５の直下に移動させ、保持面４２０の角度の微調整や、第２の挿入孔列１１ｂに固定されたメモリーカード３０（図２参照）と第１の切削砥石４３３とのＹ方向の位置合わせが行われる。これと同時又は前後して、第１の挿入孔列１１ａに固定されたメモリーカード３０と第２の切削砥石４４３とのＹ方向の位置合わせが行われる。すなわち、図１０に示すように、第２の挿入孔列１１ｂにおける挿入孔１１に保持されたメモリーカード３０の移動経路の直上に第１の切削砥石４３３を位置させる。これと共に、第１の挿入孔列１１ａにおける挿入孔１１に保持されたメモリーカード３０の移動経路の直上に第２の切削砥石４４３を位置させる。
【００４２】
その後、第１の切削砥石４３３及び第２の切削砥石４４３が高速回転しながら第１の切削手段４３及び第２の切削手段４４を下降させてから、テーブル４２が、図６に示した＋Ｘ方向に移動される。すると、図１１に示すように、第１の切削砥石４３３は、第２の挿入孔列１１ｂに固定され上方に露出した複数のメモリーカード３０の第１の側部３０ａに接触する。また、第２の切削砥石４４３は、第１の挿入孔列１１ａに固定され上方に露出した複数のメモリーカード３０の第２の側部３０ｂに接触する。そうすると、第２の挿入孔列１１ｂに固定されたメモリーカード３０の第１の側部３０ａには、第１の切削砥石４３３の形状が転写され、第１の挿入孔列１１ａに固定されたメモリーカード３０の第２の側部３０ｂには、第２の切削砥石４４３の形状が転写される。
【００４３】
次に、保持面４２０から固定治具１を取り外し、対称軸１ａを基準として固定治具１の上下を反転させ、固定治具１の上面であった被保持面１０ｂを下向きにした状態で保持面４２０に保持させる。このとき、図１２に示すように、第１の挿入孔列１１ａに固定されたメモリーカード３０については第１の側部３０ａが上方に露出し、第２の挿入孔列１１ｂに固定されたメモリーカード３０については第２の側部３０ｂが上方に露出した状態となる。また、固定治具１は、第１の挿入孔列１１ａ及び第２の挿入孔列１１ｂの中間の対称軸１ａを基準として対称に形成されるので、上下反転することにより、第１の切削砥石４３３の下方に第１の挿入孔列１１ａに固定されたメモリーカード３０が位置し、第２の切削砥石４４３の下方に第２の挿入孔列１１ｂに固定されたメモリーカード３０が位置する。従って、第１の切削砥石４３３及び第２の切削砥石４４３のＹ方向の位置を変更する必要がない。
【００４４】
その状態で、必要に応じて保持面４２０の向きの微調整等を行った後に、第１の挿入孔列１１ａに保持されたメモリーカード３０については第１の側部３０ａに第１の切削砥石４３３を接触させる。また、第２の挿入孔列１１ｂに保持されたメモリーカード３０については第２の側部３０ｂに第２の切削砥石４４３を接触させる。そうすると、メモリーカード３０の第２の側部３０ｂには第２の切削砥石４４３の形状が転写され、メモリーカード３０の第１の側部３０ａには第１の切削砥石４３３の形状が転写される。なお、固定治具１が精密に形成されていれば、保持面４２０の向きの微調整は必ずしも必要とされない。
【００４５】
このようにして、すべてのメモリーカード３０について、第１の側部３０ａ及び第２の側部３０ｂに第１の切削砥石４３３及び第２の切削砥石４４３の形状が転写され、図１３に示す所望の形状のメモリーカード３１となる。このメモリーカード３１においては、４つの角が面取りされており、そのうちの２つの面取り部３１０、３１１は、第一の切削砥石４３３の形状が転写されて形成されたものである。一方、残りの２つの面取り部３１２、３１３は、第２の切削砥石４４３の形状が転写されて形成されたものである。また、第２の側部３０ｂには異形部３１４が形成されており、この異形部３１４は、第２の切削砥石４４３の形状が転写されて形成されたものである。
【００４６】
以上のように、本実施の形態によれば、固定治具１において挿入孔１１にメモリーカード３０を挿入するときに、弾性部材３２によって、メモリーカード３０の電極３０ｃが挿入孔１１の内面に接触したり擦れたりすることを回避することができる。従って、弾性部材３２でメモリーカード３０の電極３０ｃを保護した状態で、各固定部５、６によってメモリーカード３０が固定される。これにより、メモリーカード３０の電極３０ｃに傷や損傷が発生したり、電極３０ｃ同士が導通して内部回路が破壊したりすることを回避することができる。よって、メモリーカード３０の各側部３０ａ、３０ｂを成形してから、電極３０ｃに通電する電圧測定等のテストを正常に行うことができる。
【００４７】
また、本実施の形態では、図１１に示すようにメモリーカード３０の成形を行ってから、固定治具１の上面を下向きに反転した状態で、図１２に示すようにメモリーカード３０の成形を行うことができる。このとき、固定治具１及びメモリーカード３０の各Ｚ方向の中心位置が一致するよう位置決めされるので、第１の切削砥石及び第２の切削砥石の上下方向の位置調整を省略することができる。
【００４８】
更に、挿入孔１１において、固定治具１の切削送り方向（＋Ｘ方向）下流側の内面側だけに弾性部材３２を配設し、かかる内面にメモリーカード３０の電極３０ｃが形成された面が対面した状態で挿入される。つまり、挿入孔１１において、メモリーカード３０の電極３０ｃに対向する面だけに弾性部材３２が配設されるので、弾性部材３２の設置数を抑制しつつ、電極３０ｃを効果的に保護することができる。また、挿入孔１１内では、メモリーカード３０の電極３０ｃを備えた表面が弾性部材３２とだけ接触し、挿入孔１１の＋Ｘ方向側の内面と隙間が空いた状態になる。従って、かかる隙間を通じて、切削屑等を滞留させずに流れ出し易くすることができる。
【００４９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５０】
例えば、上記実施の形態では、挿入孔１１へのメモリーカード３０の挿入及び位置決めを位置合わせ用のテーブル５０上で行ったが、テーブル４２の保持面４２０上で行ってもよい。この場合、保持面４２０が上述した位置決め部を構成する。また、位置合わせ用のテーブル５０は、メモリーカード成形装置４０の構成に含まれない外部の装置を構成するものとしてもよい。
【００５１】
また、弾性部材３２の形態や配設位置、配設方法は、上記実施の形態で説示したものに限定されるものでなく、種々の変更が可能であり、具体例として、図１４及び図１５に示す構成を変形例として挙げることができる。
【００５２】
図１４の弾性部材６１は、Ｘ方向が厚み方向となる概略板状に形成されている。弾性部材６１のＹ方向両側は、−Ｘ方向側を削るように薄肉に形成されている。弾性部材６１が挿入される弾性部材挿入部６２は、弾性部材６１のＹ方向両側をＸ方向から挟むように受容している。このとき、弾性部材６１の−Ｘ方向側の端部が挿入孔１１の＋Ｘ方向側の内面より突出している。図１５の弾性部材６５は、シート状に形成され、挿入孔１１の＋Ｘ方向側の内面に接着剤を介して接着される。
【００５３】
各変形例の弾性部材６１、６５及び上記実施の形態の弾性部材３２は、挿入孔１１における＋Ｘ方向側の内面、つまり、切削加工時の切削送り方向下流側の内面にそれぞれ設けたが、変更してもよい。弾性部材３２、６１、６５は、挿入孔１１の＋Ｘ方向及び−Ｘ方向側の内面それぞれに設けてもよいし、挿入孔１１の−Ｘ方向側の内面だけに設けてもよい。
【産業上の利用可能性】
【００５４】
以上説明したように、本発明は、固定治具の挿入孔にメモリーカードを挿入した状態で、メモリーカードの側部を成形する成形装置に有用である。
【符号の説明】
【００５５】
１  固定治具
５  第１の固定部（固定部）
６  第２の固定部（固定部）
１０ａ、１０ｂ  被保持面
１１  挿入孔
３０  メモリーカード
３０ａ  第１の側部（側部）
３０ｂ  第２の側部（側部）
３０ｃ  電極
３２  弾性部材
４０  メモリーカード成形装置
４２  テーブル
４２０  保持面
４３  第１の切削手段
４３３  第１の切削砥石
４４  第２の切削手段
４４３  第２の切削砥石
【図１】
0006456678.tif 000002
【図２】
0006456678.tif 000003
【図３】
0006456678.tif 000004
【図４】
0006456678.tif 000005
【図５】
0006456678.tif 000006
【図６】
0006456678.tif 000007
【図７】
0006456678.tif 000008
【図８】
0006456678.tif 000009
【図９】
0006456678.tif 000010
【図１０】
0006456678.tif 000011
【図１１】
0006456678.tif 000012
【図１２】
0006456678.tif 000013
【図１３】
0006456678.tif 000014
【図１４】
0006456678.tif 000015
【図１５】
0006456678.tif 000016